Podtech/llm-jp-corpus-v4-ja_patent huggingface dataset:
(57)【要約】      （修正有）【課題】強い締め付けによって行う体の補正ではなく、腹部への適度な圧迫と保温効果を高めることによってダイエット効果が得られる事ができるダイエット美腹装具を提供する。【解決手段】縦２０ｃｍ横３０ｃｍのポリエステル９５％ポリウレタン５％の筒状の生地に、生姜エキスと唐辛子エキスを配合したものを二枚重ね合わせる。こうすることによって、熱効率を高め、発汗作用を促し、脂肪の燃焼を促進してダイエット効果を得ることができる。【選択図】図３
0003188976.tif 000002
【実用新案登録請求の範囲】
【請求項１】
縦２０ｃｍ横３０ｃｍのポリエステル９５％ポリウレタン５％の筒状の生地に、生姜エキスと唐辛子エキスを配合したものを二枚重ね合わせるように、お腹部分に巻き付けて装着することによって、熱効率が上り適度な締め付け効果によっておなか回りの余分な脂肪を取り除きダイエット効果を高める装具。
【考案の詳細な説明】
【技術分野】
【０００１】  本考案は、保温効果を保つ腹巻きを装着することによって、腹部のダイエット効果を促進し美容と健康に役立つダイエット腹巻きに関するものである。
【背景技術】
【０００２】  従来のダイエット腹巻き等は強い締め付けによって体型を補正するものであった。
【考案の概要】
【考案が解決しようとする課題】
【０００３】  従来からのダイエット腹巻き等は、強い締め付けによって本来の体型を望むような体型に近づける物であり、強い締め付けによるストレスを伴い、体の内側から変化させるものではなかった。
本考案は、以上のような従来の欠点に鑑み、体の内側からダイエット効果を生むダイエット美腹巻きを提供する事を目的としている。
【課題を解決するための手段】
【０００４】  本考案は、適度な圧迫感と、保温効果を高める生姜成分を配合した腹巻きと、唐辛子成分を配合した腹巻きを二枚腹部に装着することによって、ダイエット効果を得るものである。
【考案の効果】
【０００５】  従来の装具は、強く締め付ける力によって体の外側から体型を補正する物であったが、本考案は保温効果を高い腹巻きを二枚重ねることによって空気の隙間ができより一層保温効果が高まり、発汗作用を促し脂肪の燃焼を促進し、体の内側からダイエット効果を得られるものとした。
【図面の簡単な説明】
【０００６】
【図１】  ダイエット美腹巻きを横から見た状態の図
【図２】  ダイエット美腹巻きを上から見た状態の図
【図３】  ダイエット美腹巻きを装着した状態の図
【考案を実施するための形態】
【０００７】以下本考案の形態を示す図面に基づき説明する。
【実施例】
【０００８】図１のサイズの腹巻きに生姜成分と唐辛子成分を配合した物を１枚ずつ合計２枚腹部に装着する。
【産業上の利用可能性】
【０００９】本考案は、ダイエット美腹巻きを製造する産業で利用される。
【図１】
0003188976.tif 000003
【図２】
0003188976.tif 000004
【図３】
0003188976.tif 000005
【手続補正書】
【提出日】平成25年9月19日(2013.9.19)
【手続補正１】
【補正対象書類名】実用新案登録請求の範囲
【補正対象項目名】請求項１
【補正方法】変更
【補正の内容】
【請求項１】
縦２０ｃｍ横３０ｃｍのポリエステル９５％ポリウレタン５％の筒状の生地に、生姜エキスと唐辛子エキスを配合したものを二枚重ね合わせるように、お腹部分に巻き付けて装着することによって、熱効率が上り適度な締め付け効果によっておなか回りの余分な脂肪を取り除きダイエット効果を高める装具。
縦２０ｃｍ横３０ｃｍのポリエステル９５％ポリウレタン５％の筒状の生地に、生姜エキスと唐辛子エキスを配合したものを二枚重ね合わせたダイエット美腹装具。
【手続補正書】
【提出日】平成25年11月20日(2013.11.20)
【手続補正１】
【補正対象書類名】実用新案登録請求の範囲
【補正対象項目名】全文
【補正方法】変更
【補正の内容】
【実用新案登録請求の範囲】
【請求項１】
縦２０ｃｍ横３０ｃｍのポリエステル９５％ポリウレタン５％の筒状の生地に、生姜エキスと唐辛子エキスを配合したものを二枚重ね合わせたダイエット美腹装具。
(57)【要約】      （修正有）【課題】足の親指以外の第２指から第５指の４指のまわりを肌着生地で被うことで、指間の汗や汚れ、臭い等を緩和するつま先指間用下着を提供する。【解決手段】吸水性と伸縮性を有する肌着用の布地を用い、その布地を輪状にし、さらに輪を内裏面であわせ、足指の第２指から第５指を通すためそれぞれの指３，４，５，６の太さにあわせて３ヶ所を筒状に縫い合わせ４つの孔を持たせ、また見た目という点から布地に柄と色のバリエーションを持たせたことを特徴とする。【選択図】図１
0003188980.tif 000002
【実用新案登録請求の範囲】
【請求項１】
足の親指以外の第２指から第５指（３）（４）（５）（６）の形状にあわせて縫製した肌着布地（２）を足の親指以外の第２指から第５指に（３）（４）（５）（６）に穿かせる形態の下着。
【考案の詳細な説明】
【技術分野】
【０００１】本考案は、つま先親指以外の第２指から第５指の４指のまわりを肌着生地で被い、指間の汗や汚れ、雑菌の繁殖を軽減する目的の下着に関するものである。
【技術背景】
【０００２】従来、足の指間の衛生面を考えた５指股靴下があるが、布生地が比較的厚く、他の靴下と重ね履きが難しく、また靴の種類によっては履き心地に影響を及ぼすものもあった。
【先行技術文献】
【特許文献】
【０００３】
【技術文献１】
特開２００７−１５４３４２号公報。
【考案の概要】
【考案が解決しようとする課題】
【０００４】これは次のような欠点があった。
（イ）従来、５指股靴下を着用すると布地が厚いことが多く、靴に障ったりするので、履    ける靴が限られる場合があった。
（ロ）従来、５指股靴下を着用するとその効能性を重視されたデザインが多く、足元のお    しゃれを楽しむことがむずかしかった。
【課題を解決するための手段】
【０００５】使用する生地を肌着用の繊維を使用して出来るだけ薄く伸縮性をもたせる。肌に触れる部分は足親指以外の第２指から第５指の４指のまわりだけとする。
【考案の効果】
【０００６】（ア）足の親指以外の４指の形状に合わせて縫製して、生地自体を薄く伸縮性があるもの    を使用することで、他の靴下やストッキング等と重ね履きができる。
（イ）肌着生地として吸水性、通気性を有する布地（ポリウレタン等）を使用することで    、汗腺が集中する足の指間のムレや汚れ、臭いを緩和することに役立つ。
【図面の簡単な説明】
【０００７】
【図１】本考案品の着用時の正面図である。
【図２】本考案品の脱着時の斜視図である。
【考案を実施するための形態】
【０００８】以下、考案を実施するための形態について説明する。
肌着布地（吸水性、通気性、伸縮性を有するポリウレタン等の布地）を足の親指以外の第２指から第５指の４指（３）（４）（５）（６）のそれぞれの形状、長さに合わせて着用しやすい筒状に縫合（７）し、４箇所の指の通し孔（８）（９）（１０）（１１）をつくる。伸縮性生地を使用するため装着時にはフィット感がある。片側１個とし、左右対称２個で１対ある。
本考案は、以上のような構造である。
本考案を使用するときは、それぞれの形状に合わせて筒状になった足指孔部にそれぞれ第２指から第５指の４指をはめ込むようなかたちで両足指に装着する。肌着生地として吸水性、通気性を有する布地（ポリウレタン等）を使用することで、下着を使用する感覚とまったく同じで、常時着用することができる。足の指間は特に汗腺が集中して不潔になりやすいので、汗や垢による雑菌の繁殖、臭いなどの軽減には特に有効的である。
また生地自体を薄く伸縮性があるものを使用することで、本考案を着用したままどのような靴下、靴の使用もほとんど可能である。
使用生地が薄手で伸縮性があるため着用しやすく、通気性、吸水性もあるので、長時間（１日程度）の着用も可能であり、本考案は下着という概念でまったく差し支えないと考える。また生地自体を薄く伸縮性があるものを使用することで、本考案を着用したままどのような靴下、靴の使用もほとんど可能であるので、足元のおしゃれを損なうことも少ない。
【符号の説明】
【０００９】１  足（甲）
２  つま先指間下着
３  足第２指
４  足第３指
５  足第４指
６  足第５指
７  布地縫合部
８  第２指用孔部
９  第３指用孔部
１０  第４指用孔部
１１  第５指用孔部
【図１】
0003188980.tif 000003
【図２】
0003188980.tif 000004
【手続補正書】
【提出日】平成25年11月20日(2013.11.20)
【手続補正１】
【補正対象書類名】実用新案登録請求の範囲
【補正対象項目名】全文
【補正方法】変更
【補正の内容】
【実用新案登録請求の範囲】
【請求項１】
吸水性と伸縮性を有する肌着用の布地を用い、その布地を輪状にし、さらに輪を内裏面であわせ、足指の第２指から第５指を通すためそれぞれの指の太さにあわせて３ヶ所を筒状に縫い合わせ４つの孔を持たせ、また見た目という点から布地に柄と色のバリエーションを持たせたことを特徴とするつま先指間用下着。
(57)【要約】      （修正有）【課題】食事をとるには若干手が不自由な要介護者が自身で食事をとることを可能にする要介護者向けの食器とトレイのセットを提供する。【解決手段】底部分３の外側を雄ネジとするねじ山を切った食器と、予め必要な食器の数だけ孔１を開け、かつ、孔１の内縁２に雄ネジと対応するように同じピッチの雌ネジ溝を切ったトレイと、からなる。トレイと食器を固定することによって、食べ物を食器からこぼさずに食べ易くなり、且つ洗浄も簡単になり、さらに食器製作コストも安くて済むことになるので、要介護者の食事の楽しみが増え、また介護人の介護労力が軽減される。【選択図】図１
0003188971.tif 000002
【実用新案登録請求の範囲】
【請求項１】
食事用トレイに食器類を固定する為に、予め必要な食器の数だけ孔を空け、トレイ側の孔の縁に雌ネジ溝と、食器類の底凸部分外側を雄ネジとするピッチが同じ雄雌のネジ山及び溝を切った、特に手が若干不自由な要介護者向けの食器類。
【考案の詳細な説明】
【技術分野】
【０００１】本考案は食事をとるには若干手が不自由な要介護者向け食器類に関し、特に要介護者が自身で食事をとることを可能にすることを目的とした食器類の構造に係る。
【背景技術】
【０００２】従来から、手の不自由な要介護者の食事は、介護人が食べさせているが、なっているが、要介護者は、少しでも可能なら自分で食事をとりたいという欲求願望が有り、また、出来る限り要介護者が自身で食事をとることが望ましいと介護人も考えていた。
【先行技術文献】
【０００３】
【非特許文献１】知的所有権協会  知的所有権登録願１３８９号
【考案の概要】
【考案が解決しようとする課題】
【０００４】しかしながら、従来の食器では、手が不自由だと食器に入っている食べ物を容器ごとこぼすので、介護人が補助して食べさせるのが普通であった。【０００５】よって、要介護者が自身の欲求願望で食事をとることができなかった。【０００６】非特許文献１の食器においては、要介護者と介護人の双方に便利な食事道具であったが、トレイに雄ネジ山を持った凸状の突起物が食器数存在し、製作コストがかかり且つ洗浄が困難であった。【０００７】また、非特許文献１の食器においては、椀及び皿の底凹部分内側に雌ネジ溝が切ってあり、製作コストがかかり且つ洗浄が困難であった。
【課題を解決するための手段】
【０００８】本考案の食器類は、手が若干不自由な要介護者が、自分自身で食事をとる為の食器類である。【０００９】本考案の食器類のトレイには直径５センチメートル程度の孔が椀及び皿、コップ等の食器数空いており、トレイ穴の内側縁部分に４分の１回転程度の雌ネジ溝が切ってある。【００１０】本考案の食器類の椀及び皿、コップ等の食器の底凸部分（直径５センチメートル程度）の外側に、トレイのネジピッチに合う雄ネジ山を、４分の１回転程度切っておく。
【考案の効果】
【００１１】本考案の食器類を使えば、椀及び皿、コップ等の食器がトレイに固定され、手が若干不自由な要介護者が、自分でこぼさずに食事をすることができる。【００１２】また凹凸が少ないので洗浄が簡単である。【００１３】更に、製作コストも少なくて済むので普及が容易である。【００１４】但し、食べ物をトレイ上にこぼすことを想定し、トレイの孔には全て、食器類を使用することを原則とする。
【考案を実施するための形態】
【００１５】以下、本考案の要介護者向けトレイ及び食器類をその実施の最良の形態について図面に示す実施例に基づいて具体的に説明する。
【００１６】図１は本考案の実施例を示すもので有り、横幅５０ｃｍ縦幅３０ｃｍ厚さ２ｍｍのトレイ（ａ）に直径５ｃｍの孔１を適切な数開け、穴の内縁２に雌ネジ（凹）を設ける。
【００１７】食器類（ｂ）の底部分３の外側（直径５ｃｍ）には、トレイのネジピッチに合う雄ネジ（凸）を高さ２ｍｍ設ける。
【図面の簡単な説明】
【００１８】
【図１】（ａ）はトレイ、（ｂ）は食器類である。
【符号の説明】
【００１９】１・・・・・直径５ｃｍの孔
２・・・・・雌ネジ（凹）を設けた穴の内縁
３・・・・・雄ネジ（凸）を設けた食器類の底部分
【図１】
0003188971.tif 000003
【手続補正書】
【提出日】平成25年10月14日(2013.10.14)
【手続補正２】
【補正対象書類名】実用新案登録請求の範囲
【補正対象項目名】請求項１
【補正方法】変更
【補正の内容】
【請求項１】
底凸部分外側を雄ネジとするねじ山を切った食器と、予め必要な食器の数だけ孔を開けたトレイであって、上記孔のトレイ側の縁に上記雄ネジと対応するように同じピッチの雌ネジ溝を切ったトレイと、からなる要介護者向けの食器とトレイのセット
(57)【要約】      （修正有）【課題】前もって保存していた声紋と着信した声紋とを比較分析し、適切に対処する機能を有する電話機を提供する。【解決手段】電話機本体と、受話器と、電話機本体に設けられた任意の人物の声紋を保存する声紋保存装置２と、電話機本体に設けられた声紋判別装置３と、声紋判別装置と受話器とを接続する接続線５と、を備えた電話機であって、声紋判別装置は、外から着信した音声と声紋装置に保存された声紋とを比較分析し、判別した結果の信号を接続線を介して受話器に送信することを特徴とする。【選択図】図２
0003188966.tif 000002
【実用新案登録請求の範囲】
【請求項１】
電話機本体に任意の人物の声紋を保存する機能を設けたことを特徴とする声紋の保存および判別機能つき電話機。
【請求項２】
電話機本体に設けられた人物の声紋を保存する機能と接続線でつなぐ形で設けられた声紋判別機能を有し、前記声紋判別機能は、前記声紋保存機能に保存された声紋と、外からの詐欺の疑いが濃い人物からの着信に対して、比較分析し、成り済ましているかどうかの判別を行い、その判別の結果成り済ましの場合被着信者が不利を被らない信号を出すことを特徴とする声紋の保存および判別機能つき電話機。
【考案の詳細な説明】
【技術分野】
【０００１】  本考案は、前もって保存していた声紋と着信した声紋とを比較分析し、適切に対処する機能を有する電話機に関するものである。
【背景技術】
【０００２】  従来の電話機は、声紋判別機能がないため、肉親を装って金を振込ませる詐欺が後をたたなかった。
【考案の概要】
【考案が解決しようとする課題】
【０００３】  詐欺の声紋か、肉親などの親しい人の声紋か判別し、詐欺である場合着信拒否をする。
【課題を解決するための手段】
【０００４】  電話機の中に、肉親及び親しい人間の声紋を保存する機能と、外から肉親だと称し着信した声紋と比較分析するための声紋判別機能を備える。偽物と判別された場合着信拒否にする。
【考案の効果】
【０００５】  高齢化社会が進み、判断力が弱まった人が増えてきつつある中、電話機を使って、肉親だと偽り大金をだまし取る詐欺被害が後をたたない。
詐欺と肉親の声を判別し詐欺である場合、拒否信号を出し詐欺被害を未然に防ぐ。
【図面の簡単な説明】
【０００６】
【図１】本考案の声紋の保存および判別機能つき電話機の実施例を示す正面図である。
【図２】本電話機の一部切欠断面図である。
【考案を実施するための形態】
【０００７】  電話機の中に、自分が保存したい人の声紋を保存する機能を設ける。
また、外から、保存した人物の声の主であると称し着信した場合本当にその称する人物の声であるかどうか判別し違う場合拒否信号を送る機能を設ける。
【実施例】
【０００８】  以下添付図に従って、一実施例を説明する。
１は、電話機本体  ２は、電話機に組み込まれた声紋保存機能
３は電話機に組み込まれた声紋判別機能で、４は、声紋保存機能と声紋判別機能を接続する接続線。５は、判別した結果を受話器に信号として伝える接続線。
【符号の説明】
【０００９】１．電話機本体
２．電話機に組み込まれた声紋保存機能
３．電話機に組み込まれた声紋判別機能
４．接続線
５．接続線
【図１】
0003188966.tif 000003
【図２】
0003188966.tif 000004
【手続補正書】
【提出日】平成25年7月9日(2013.7.9)
【手続補正１】
【補正対象書類名】実用新案登録請求の範囲
【補正対象項目名】全文
【補正方法】変更
【補正の内容】
【実用新案登録請求の範囲】
【請求項１】
電話機本体と、受話器と、前記電話機本体に設けられた任意の人物の声紋を保存する声紋保存装置と、前記電話機本体に設けられた声紋判別装置と、前記声紋判別装置と受話器とを接続する接続線と、を備えた電話機であって、前記声紋判別装置は、外から着信した音声と前記声紋装置に保存された声紋とを比較分析し、判別した結果の信号を前記接続線を介して受話器に送信することを特徴とする電話機。
(57)【要約】      （修正有）【課題】より餌となる小魚が単独ではなく、群れでいる事を波動で再現するため、複雑な波動を発生させるメタルバイブレーションを提供する。【解決手段】本体２のステンレスの板に、水が抜けるスリット（穴）３を設けることで、振動時の波動が発生できる面とできない面を作る事により、複雑な波動を発生させるようにした。【選択図】図１
0003191951.tif 000002
【実用新案登録請求の範囲】
【請求項１】
ルアー本体に、スリット（穴）を設けたことを特徴とするメタルバイブレーション。
【考案の詳細な説明】
【技術分野】
【０００１】  この考案は、釣りに用いるルアーの形状に関する。
【背景技術】
【０００２】  従来の釣り等で使うルアーの一種、メタルバイブレーションの形状は、ステンレスの板に鉛を成型した形状をしていた。
主に釣竿とリールを使用して投げ、釣糸をリールで巻くことで激しく振動しながら泳ぐ。
【先行技術文献】
【実用新案文献】
【０００３】
【非実用新案文献】
【０００４】
【考案の概要】
【考案が解決しようとする問題】
【０００５】  しかしながら、従来のメタルバイブレーションの形状であれば、魚を誘う動きとなる振動は水を押す側面が１面のみであるため、単純な波動として魚に伝わっていた。そこで、この考案は、より餌となる小魚が単独ではなく、群れでいる事を波動で再現するため、複雑な波動を発生させるメタルバイブレーションを提供することを課題とする。
【課題を解決するための手段】
【０００６】  以上の課題を解決するために、第一考案は、従来のステンレスの板にスリット（穴）を設けたことを特徴とするメタルバイブレーションである。
【考案の効果】
【０００７】  第一考案によれば、メタルバイブレーションのステンレスの板にスリットを設けたことで、振動した時に水を押す部分と押さない部分ができ、複雑な波動を発生させる事ができた。
【図面の簡単な説明】
【図１】この考案の一実施形態を示す平面図である。
【図２】従来技術を示す平面図である。
【考案を実施するための形態】
【０００９】    この考案の一実施形態を、図１に示す。
メタルバイブレーションの本体１は、錘の部分が鉛となっており、その中心にステンレスの板２を挟み込んで形成されている。
【００１０】    「実施形態の効果」
この実施形態によれば、ステンレスの板２に設けたスリットが水を押さず、より複雑な波動を発生させた。
【符号の説明】
【００１１】    １  メタルバイブレーション本体の鉛    ２  ステンレス板    ３  スリット（穴）
【図１】
0003191951.tif 000003
【図２】
0003191951.tif 000004
(57)【要約】      （修正有）【課題】裁縫において、薄手シャツ類の袖丈つめの千鳥絎け縫いを容易にし、折り返し部の周長と縫い付ける袖部の周長が異なる場合でも、仕上がりをきれいにできる仕上げ筒を提供する。【解決手段】軟質プラスチックのベルトであり、一端に突起がありもう一方の端に近いベルト上に寸法調節用穴が複数あり、その突起を薄手シャツ類の袖丈つめ部と同一寸法となる位置の寸法調節用穴に入れて腕輪状の筒にする事ができ、薄手シャツ類の袖丈つめ部の内側に入れると折り返した後の縫い合わせ部の周長を同じにする事ができ、薄手シャツ類の袖丈を短い作業時間できれいに詰める事が可能となる千鳥絎け縫いを実現する事を特徴とする。【選択図】図２
0003191932.tif 000002
【実用新案登録請求の範囲】
【請求項１】
袖丈つめ千鳥絎け縫いのきれい仕上げ筒を使う事により、短い作業時間で薄手のシャツ類の袖丈をきれいにつめる事が可能となる。
【考案の詳細な説明】
【技術分野】
【０００１】本考案は、薄手シャツ類の袖丈つめの千鳥絎け縫いの仕方に関するものである。
【背景技術】
【０００２】薄手シャツ類の袖が先細りでは袖丈つめの千鳥絎け縫いは折り返し部の周長が縫い付ける袖部の周長より小さいため均一にきれいに千鳥絎け縫いするのは難しく手間がかかり、場合によっては、よれ、歪み、たわみが生じてしまう。
【考案の概要】
【考案が解決しようとする課題】
【０００３】裁縫に慣れないと薄手シャツ類の袖丈つめの千鳥絎け縫いは難しく、縫い上げるまでに時間がかかる。
また、折り返し部の周長と縫い付ける袖部の周長が異なる場合、よれ、歪み、たわみが生じてしまい仕上がりがきれいになり難い。
それを袖丈つめ千鳥絎け縫いをきれいに仕上げる筒を使う事により作業がやり易く均一かつきれいに千鳥絎け縫いを仕上げる事が可能となり、よれ、歪み、たわみが生じるという問題点を解決している。
【課題を解決するための手段】
【０００４】円筒、または組み立て後円筒形となる軟質プラスチック筒を薄手シャツ類の袖丈つめ部分の内側に入れ、縫い合わせ部の形状が均一かつきれいとなるようセットしてから千鳥絎け縫いを行う。
【考案の効果】
【０００５】軟質プラスチックの筒形状を薄手シャツ類の袖丈つめ部分の内側に入れる事により折り返し部と縫い合わせ部の周長を同じにし、千鳥絎け縫いの作業がし易く、また均一かつきれいな仕上げが実現できる。
【図面の簡単な説明】
【０００６】
【図１】本考案の寸法可変筒の平面図、右側面図、正面図、である。左側面図は右側面図に底面図は平面図に、背面図は正面図に対称形のため、これを省略する。
【図２】本考案の、寸法可変筒の組み立て後の見取り図である。
【図３】本考案の筒を袖に入れて千鳥絎け縫いする際の見取り図である。
【考案を実施するための形態】
【０００７】薄手のシャツ類の袖丈をつめたいところと同じ寸法となる周長に軟質プラスチック筒を組み立てる。
それを袖に入れ、千鳥絎け縫いの完成形状にセットする。
その後は通常の千鳥絎け縫いの要領で縫い合わせる。
【実施例】
【０００８】本考案で周長の異なる袖折り返し部と袖縫い合わせ部を均一かつきれいに千鳥絎け縫いする事が可能となる。
また、完成形状にしてから裁縫するので短い作業時間で完成する事が可能となる。
針が軟質プラスチックに当たるので指に安全で、かつ針先が均一に布をとり易い。
筒の端に配された突起は針先が布を捉え易くできており、これに沿って裁縫すると千鳥絎け縫いは等距離となり、きれいな仕上げが期待できる。
【図１】
0003191932.tif 000003
【図２】
0003191932.tif 000004
【図３】
0003191932.tif 000005
【手続補正書】
【提出日】平成26年2月4日(2014.2.4)
【手続補正１】
【補正対象書類名】実用新案登録請求の範囲
【補正対象項目名】全文
【補正方法】変更
【補正の内容】
【実用新案登録請求の範囲】
【請求項１】
薄手のシャツ類の袖丈を、短い作業時間できれいに詰める事が可能となる千鳥絎け縫いを実現する事を特徴とする、袖丈詰め部分の袖内側に入れて作業を行う千鳥絎け縫いきれい仕上げ筒。
【手続補正書】
【提出日】平成26年4月24日(2014.4.24)
【手続補正１】
【補正対象書類名】実用新案登録請求の範囲
【補正対象項目名】全文
【補正方法】変更
【補正の内容】
【実用新案登録請求の範囲】
【請求項１】
軟質プラスチックのベルトであり、一端に突起がありもう一方の端に近いベルト上に寸法調節用穴が複数あり、その突起を薄手シャツ類の袖丈つめ部と同一寸法となる位置の寸法調節用穴に入れて腕輪状の筒にする事ができ、薄手シャツ類の袖丈つめ部の内側に入れると折り返した後の縫い合わせ部の周長を同じにする事ができ、薄手シャツ類の袖丈を短い作業時間できれいに詰める事が可能となる千鳥絎け縫いを実現する事を特徴とする、袖丈詰め部分の袖内側に入れて作業を行う千鳥絎け縫いきれい仕上げ筒
(57)【要約】      （修正有）【課題】小自動車玩具や無線操縦玩具のタイヤ８のホイル１０部分に装着でき、走行美観を有する遊戯玩具の部材具を提供する。【解決手段】孔とテーパーの頂部を設けた紫外線発光樹脂からなる円形状のカバー１と、ストッパー部６と中空部を設けた横長状の紫外線発光樹脂からなる固定軸４からなり、カバーの孔に固定軸を挿入可能とした。【選択図】図８
0003191939.tif 000002
【実用新案登録請求の範囲】
【請求項１】
孔とテーパーの頂部を設けた紫外線発光樹脂からなる円形状のカバーと、ストッパー部と中空部を設けた横長状の紫外線発光樹脂からなる固定軸を特長とした、遊戯玩具の部材具。
【考案の詳細な説明】
【技術分野】
【０００１】  本考案は、小自動車玩具や無線操縦玩具のタイヤのホイル部分に装着する遊戯玩具の部材具に関するものである。
【背景技術】
【０００２】  従来、自動車や警察車輛、消防車等をモデルにした小型走行玩具や飛行機やヘリコブターを小型化した無線操縦玩具（以下、遊戯玩具と称する）が、子供から大人に至るまで愛用されている。【０００３】  購入する動機は、価格、ブランド力、デザイン力等を考慮して購入するのが一般的である。【０００４】  これらの自動車や飛行機等をモデルにした遊戯玩具は数多くあるので、多数保有している。しかし数年すると、遊戯玩具に飽きて机の中や空き箱に入れっぱなしにして、あげくの果てはゴミとして出す人も多数存在する。
【考案の概要】
【考案が解決しようとする課題】
【０００５】  そこで、本考案は保有する遊戯玩具に紫外線発光樹脂を主材として、新たな魅力を付加し、継続的な使用を可能にすることを目的とした、遊戯玩具の部材具に関するものである。
【課題を解決するための手段】
【０００６】  上記の課題を解決するために、孔とテーパーの頂部を設けた紫外線発光樹脂からなる円形状のカバーと、ストッパー部と中空部を設けた横長状の紫外線発光樹脂からなる固定軸を特長とした、遊戯玩具の部材具である。
【考案の効果】
【０００７】  その結果、部材具を遊戯玩具のタイヤのホイルに装着することによって、色彩豊かな走行美観を提供することができる。したがって、従来品の遊戯玩具の再生が行われるので、捨てられることもなく楽しく遊ぶことができる。
【図面の簡単な説明】
【０００８】
【図１】本考案のカバー斜視図
【図２】本考案図１の裏面斜視図
【図３】本考案のカバー断面図
【図４】本考案の固定軸斜視図
【図５】本考案の図４の斜視図
【図６】本考本の固定軸断面図
【図７】本考案の分解説明図
【図８】本考案の装着説明断面図
【図９】本考案の装着説明断面図
【図１０】本考案の使用状態説明図
【考案を実施するための形態】
【実施例】
【０００９】  以下本考案の実施例について説明する。
図１は紫外線発光樹脂を部材とした円形状のカバー（１）の斜視図である。
カバー（１）は図２に示すように中央部に孔（２）を設け、周囲は図３に示すようにテーパー頂部（３）を設ける。【００１０】  図４は紫外線発光樹脂を部材とした固定軸（４）である。
固定軸（４）の他端は長軸の長さを示す（例えば８ｍｍ等の数字）浮きだし刻印をする六形状の表示部（５）を設け、外周囲には固定軸（４）の直径よりはみ出すようにストッパー部（６）を設け、さらに長手方向に中空部（７）を設ける。【００１１】  本考案は以上の２つの構成物（カバー、固定軸）からなるものである。【００１２】  図７は本考案の固定軸（４）、カバー（１）と従来の小型自動車に使用されているタイヤ（８）と孔（９）とホイル（１０）からなる車輪の分解説明図である。【００１３】  以下、本考案の使用法について順を追って説明する。図８は本考案を装着する説明断面図である。
従来の車輪はタイヤ（８）と孔（９）とホイル（１０）におすネジを設けた突出部（１１）のシャフト（１２）が装着されている。このおすネジの突出部（１１）にめすネジをねじ込んでホイル（１０）が脱落しないように固着されている。【００１４】  本考案を使用する場合、従来使用されているめすネジをドライバー等で外して、ホイル（１０）の凹面部にカバー（１）を手で密着させた後、固定軸（４）をカバー（１）の孔（２）に通し、中空部（７）をシャフト（１２）の突出部（１１）の外面に当て、回転させながらねじ込んでいく。
固定軸（４）は柔らかい樹脂なので、突出部（１１）に設けられたネジ山によって中空部（７）の内面が削り取られ、突出部と（１１）と固定軸（４）が固着される。
これによって、カバー（１）がホイル（１０）面に装着されるのである。【００１５】  カバー（１）の内側面に固定軸（４）のストッパー部（６）によって、カバー（１）が走行中に脱落することは無い。【００１６】  小型自動車と一口に言っても大きさは多種多様である。そのために、シャフト（１２）の突出部（１１）の長さは多様化されている。
そこで、固定軸（４）の表示部（５）に８ｍｍ、１０ｍｍ等複数の固定軸（４）の長さを刻印しておくことで、従来の多種多様の遊戯玩具に対応できる。【００１７】  説明上、小型自動車を例にして本考案の装着過程を説明したが、無線操縦玩具に本考案は適応することは言うまでもない。
【符号の説明】
【００１８】  １：カバー
２：孔
３：頂部
４：固定軸
６：ストッパー部
７：中空部
【図１】
0003191939.tif 000003
【図２】
0003191939.tif 000004
【図３】
0003191939.tif 000005
【図４】
0003191939.tif 000006
【図５】
0003191939.tif 000007
【図６】
0003191939.tif 000008
【図７】
0003191939.tif 000009
【図８】
0003191939.tif 000010
【図９】
0003191939.tif 000011
【図１０】
0003191939.tif 000012
【手続補正書】
【提出日】平成26年5月8日(2014.5.8)
【手続補正１】
【補正対象書類名】実用新案登録請求の範囲
【補正対象項目名】全文
【補正方法】変更
【補正の内容】
【実用新案登録請求の範囲】
【請求項１】
中心に孔とテーパー形状の突起を設けた紫外線発光樹脂からなる円形状のカバーと、ストッパー部と中空部を設けた横長状の紫外線発光樹脂からなる固定軸とからなり、前記円形状のカバーの孔に前記固定軸を挿入可能としたことを特徴とする遊戯玩具の部材具。
(57)【要約】      （修正有）【課題】靴ひもが解けないようにした靴を提供する。【解決手段】面ファスナーの一部を靴の両側面に固定し、固定されていない部分を、靴ひもを蝶結びにした輪にくぐらせ、折り返して靴に固定された部分に密着させて、靴ひもを靴に固定する。【選択図】図１
0003191945.tif 000002
【実用新案登録請求の範囲】
【請求項１】
面ファスナー片を靴の両側面に設置し、蝶結びの輪をくぐらせて固定し、紐を解けなくする。
【考案の詳細な説明】
【考案の概要】
【考案が解決しようとする課題】
【０００１】
靴ひもが解けないようにする
【課題を解決するための手段】
【０００２】
面ファスナー片を靴の両側面に設置し、蝶結びの輪をくぐらせて固定し、紐を解けなくする。
【考案の効果】
【０００３】
蝶結びの輪を固定してから余りを真結びすることで、山道を8時間歩いても解けなかった。
【図面の簡単な説明】
【０００４】
【図１】側面図
【実施例】
【０００５】
登山靴、スポーツシューズ等に。
【図１】
0003191945.tif 000003
【手続補正書】
【提出日】平成26年5月22日(2014.5.22)
【手続補正１】
【補正対象書類名】実用新案登録請求の範囲
【補正対象項目名】全文
【補正方法】変更
【補正の内容】
【実用新案登録請求の範囲】
【請求項１】
面ファスナーの一部を靴の両側面に固定し、固定されていない部分を、靴ひもを蝶結びにした輪にくぐらせ、折り返して靴に固定された部分に密着させて、靴ひもを靴に固定することにより、靴ひもがほどけない、面ファスナー付き靴。
(57)【要約】      （修正有）【課題】より餌となる小魚が逃げる動きを再現するため、揺れずに、より直線的にスライドしながら沈むメタルジグを提供する。【解決手段】本体１の中心に、ステンレスの板２を挟み込んで成型し、ステンレスの板２で薄いキールを作ることで、沈下時の水の抵抗をひとつの方向に逃がすようにし、沈下時に揺れずに直線的な動きになるようにした。【選択図】図１
0003191950.tif 000002
【実用新案登録請求の範囲】
【請求項１】
ルアー本体に、ステンレスの板のキールを設けたことを特徴とするメタルジグ。
【考案の詳細な説明】
【技術分野】
【０００１】  この考案は、釣りに用いるルアーの形状に関する。
【背景技術】
【０００２】  従来の釣り等で使うルアーの一種、メタルジグの形状は、ステンレスの針金に鉛を成型した形状をしていた。主に船から海底に沈め、釣竿を動かすことで沈んだり泳いだりする。
【先行技術文献】
【実用新案文献】
【０００３】
【非実用新案文献】
【０００４】
【考案の概要】
【考案が解決しようとする問題】
【０００５】  しかしながら、従来のメタルジグの形状であれば、魚を誘う動きとなる落ちる動きについては、ルアーが水の抵抗を受け左右にユラユラと揺れながら沈下していた。そこで、この考案は、より餌となる小魚が逃げる動きを再現するため、揺れずに、より直線的にスライドしながら沈むメタルジグを提供することを課題とする。
【課題を解決するための手段】
【０００６】  以上の課題を解決するために、第一考案は、従来のステンレスの針金ではなく、ステンレスの板を用いてルアーの上下面にキールを設けたことを特徴とするメタルジグである。
【考案の効果】
【０００７】  第一考案によれば、メタルジグにステンレスの板のキールを設けたことで、沈下時に抗力が働き、ユラユラと揺れることなく直線的なスライドをしながら沈下させる事ができた。
【図面の簡単な説明】
【図１】この考案の一実施形態を示す平面図である。
【図２】この考案の一実施形態を示す断面図である。
【図３】従来技術を示す平面図である。
【考案を実施するための形態】
【０００９】  この考案の一実施形態を、図１、図２に示す。
メタルジグの本体１は、錘の部分が鉛となっており、その中心にステンレスの板２を挟み込んで形成されている。
【００１０】  「実施形態の効果」
この実施形態によれば、ステンレスの板２の働きで、水の抵抗をひとつの方向に逃がす事により揺れずに沈下する。
【符号の説明】
【００１１】  １  メタルジグ本体の鉛    ２  ステンレス板のキール    ３  ステンレスの針金
【図１】
0003191950.tif 000003
【図２】
0003191950.tif 000004
【図３】
0003191950.tif 000005
(57)【要約】      （修正有）【課題】蒸れ、口臭除去、多湿に対処できる業務用マスクを提供する。【解決手段】ガーゼ天竺３表面に丸穴１を施した一重の部分を作ることと、ガーゼ天竺３表面に丸穴１を施し中央にくり抜きを施した一重の部分を作ること。【選択図】図１
0003191982.tif 000002
【実用新案登録請求の範囲】
【請求項１】
ガーゼ天竺１枚を縦１５ｃｍ横１６，５ｃｍに加工し、３ｍｍ間隔２ｍｍの丸穴を全面に施し、仕上げ縦９、５ｃｍ横１６，５ｃｍ下向きプリーツ加工表面とし、ガーゼ天竺２枚を縦１２，５ｃｍ横１６，５ｃｍ加工、加工したガーゼ天竺２枚に仕上げ縦７ｃｍ横１６，５ｃｍ下向きプリーツ加工裏面とし、穴あきガーゼ天竺の縦下２，５ｃｍに下向きプリーツ加工したガーゼ天竺２枚を配し両端５ｍｍの折り返し紐通しとし縫い留め、紐通しに平ゴムを施した事を特徴とする業務用マスク。
【請求項２】
ガーゼ天竺１枚を縦１５ｃｍ横１６，５ｃｍに加工し、３ｍｍ間隔２ｍｍの丸穴を全面に施し、仕上げ縦９、５ｃｍ横１６，５ｃｍにプリーツ加工、中央から、幅２，５ｃｍ、下１，５ｃｍのくり抜き加工、くり抜きに力布テープを配し表面上部とし、ガーゼ天竺２枚を縦１２，５ｃｍ横１６，５ｃｍ加工、加工したガーゼ天竺２枚に仕上げ縦７ｃｍ横１６，５ｃｍ下向きプリーツ加工裏面とし、穴あきガーゼ天竺の縦下２，５ｃｍに下向きプリーツ加工したガーゼ天竺２枚を配し両端５ｍｍの折り返し紐通しとし縫い留め、紐通しに平ゴムを施した事を特徴とする業務用マスク。
【考案の詳細な説明】
【技術分野】
【０００１】業務用マスクに於いては無い穴あき、口臭除去、蒸れないに適した事を図った物である。
【背景技術】
【０００２】現時点に於いて、マスクは細菌、粉塵を避ける役目で、穴あき、口臭除去、蒸れ無しには適用に欠けている。
【先行技術文献】
【特許文献】
【特許文献】ガーゼ天竺に丸穴を施し、プリーツ加工を全面に施し表面、ガーゼ天竺に下向きプリーツ加工裏面、計３枚をマスク加工し、丸穴を施したガーゼ天竺の中央に幅を取りくり抜きを施し表面、ガーゼ天竺に下向きプリーツ加工裏面、計３枚をマスク加工した業務用マスク。
【特許文献１】
【特許文献２】
【非特許文献】
【非特許文献】ガーゼ天竺素材以外適用可能分野。
【非特許文献１】
【考案の概要】
【考案が解決しようとする課題】既存のマスクに於いて、蒸れ、口臭除去、多湿に対処出来ず、既存のマスクの適用に欠けている要素に匹敵する事柄。
【課題を解決するための手段】本考案は、上記目的を達成するため、ガーゼ天竺１枚を縦１５ｃｍ横１６，５ｃｍに加工し、３ｍｍ間隔２ｍｍの丸穴を全面に施し、仕上げ縦９、５ｃｍ横１６，５ｃｍ下向きプリーツ加工表面、ガーゼ天竺２枚を縦１２，５ｃｍ横１６，５ｃｍに加工、加工したガーゼ天竺２枚に仕上げ縦７ｃｍ横１６，５ｃｍ下向きプリーツ加工裏面、穴あきガーゼ天竺の縦下２，５ｃｍに下向きプリーツ加工したガーゼ天竺２枚を配し両端５ｍｍの折り返し縫い留め紐通しとし、紐通しに平ゴムを施す、上記の表面中央に幅２，５ｃｍ下１，５ｃｍのくり抜きを施す。
【考案の効果】既存のマスクに欠けている、蒸れ、口臭除去、多湿に対処出来る。
【図面の簡単な説明】［下記考案図面］
【図１】業務用マスクを示した平面図である。
【図２】業務用マスクを示した断面図である。
【図３】業務用マスク中央のくり抜き平面図。
【考案を実施するための形態】
既存のマスクに無い、蒸れ無し、口臭除去、多湿に対処出来る事柄を追及するが為。
【実施例】ガーゼ天竺に施工する事に寄り、既存のマスクで解消されない事柄。
【産業上の利用可能性】量産化出来、機能性豊か、安価と多様化利用の可能性。
【符号の説明】［１］  ガーゼ天竺に施工した穴。
［２］  中央に幅２、５ｃｍ、下１，５ｃｍのくり抜き部分。
［３］  下向きにプリーツ加工したガーゼ天竺。
［４］  耳掛け平ゴム。
【図１】
0003191982.tif 000003
【図２】
0003191982.tif 000004
【図３】
0003191982.tif 000005
(57)【要約】      （修正有）【課題】移動手段のナンバープレートに設けられる、電子ナンバープレートを提供する。【解決手段】電子ナンバープレート２は、移動手段のナンバープレート１に設けられる。また電子ナンバープレート２は、信号受発信ユニット２１と、信号受発信ユニット２１と接続されたマイクロプロセッサ２２と、マイクロプロセッサ２２と接続されたデータ保存ユニット２３と、マイクロプロセッサ２２と接続されて衛星による位置特定を行うグローバル衛星位置特定モジュール２４とからなる。以上の構造により、データ保存ユニット２３が移動手段の関連データを保存するとともに、信号受発信ユニット２１が外部のデータ読取装置のデータを受信し、受信された外部データは、マイクロプロセッサ２２によって処理された後、データ保存ユニット２３に保存されるか、或いは信号受発信ユニット２１によって発信される。【選択図】図２
0003191986.tif 000002
【実用新案登録請求の範囲】
【請求項１】
移動手段のナンバープレートに設けられる電子ナンバープレートであって、
前記電子ナンバープレートは、信号受発信ユニットと、マイクロプロセッサと、データ保存ユニットと、グローバル衛星モジュールとからなり、
前記マイクロプロセッサは、前記信号受発信ユニットと接続され、
前記データ保存ユニットは、前記マイクロプロセッサと接続され、
前記グローバル衛星モジュールは、前記マイクロプロセッサと相互に接続され、
以上の構造により、
前記データ保存ユニットは、前記移動手段の関連データを保存し、
前記信号受発信ユニットは、外部のデータ読取装置のデータを受信し、
前記信号受発信ユニットが受信した外部データは、前記マイクロプロセッサによって処理された後、前記データ保存ユニットに保存されるか、或いは前記信号受発信ユニットによって発信されることを特徴とする、電子ナンバープレート。
【考案の詳細な説明】
【技術分野】
【０００１】
本考案は、電子ナンバープレートに関し、特に検索しやすく、車、バイク、電動自転車、或いはこれ等に類した交通手段に用いられる、電子ナンバープレートに関する。
【背景技術】
【０００２】
科学技術の進歩と生活水準の向上に伴い、現代人にとって自分の車両を所持することは、既に一般的になっており、車、バイク、或いは自転車といった種類を問わず、各家が一両、或いは複数の車両を所有していることも珍しくない。
【０００３】
しかし、各種車両の数の増加は、一方で犯罪を誘発することにもつながり、車・バイクの盗難が頻発し、高い盗難率となっている。また車・バイクの価格は安いとはいえず、一般的にバイクは５〜６万台湾ドル、車の価格は少なくとも５０万台湾ドル以上である。よって、車両盗難に遭った場合、車両所有者は多大な影響を受ける。更に、車両盗難に遭った時、通報して警察に協力を求めることしかできず、警察の手段も紛失した車両のナンバープレート番号によって立件するだけであり、必ずしも見つかるとは限らない。以上のように、従来のナンバープレートには、派生する問題や不十分な点があるため、改善の余地がある。
【考案の概要】
【考案が解決しようとする課題】
【０００４】
本考案は、検索しやすく、移動手段の所在地及び車両所有者の氏名をいつでも送信することができる、電子ナンバープレートを提供することを目的とする。
【課題を解決するための手段】
【０００５】
上述の目的を達成するため、本考案の電子ナンバープレートは、移動手段のナンバープレートに設けられるとともに、信号受発信ユニットと、前記信号受発信ユニットと接続されたマイクロプロセッサと、前記マイクロプロセッサと接続されたデータ保存ユニットと、前記マイクロプロセッサと相互に接続されたグローバル衛星モジュールとからなる。以上の構造により、データ保存ユニットが移動手段の関連データを保存するとともに、信号受発信ユニットが外部のデータ読取装置のデータを受信し、前記外部データは、マイクロプロセッサによって処理された後、データ保存ユニットに保存されるか、或いは信号受発信ユニットによって発信される。
【図面の簡単な説明】
【０００６】
【図１】本考案の実施例１の外観を示した概略図である。
【図２】本考案の実施例１を示したブロック図である。
【図３】本考案の実施例２の使用状態を示した概略図である。
【図４】本考案の実施例３の使用状態を示した概略図である。
【考案を実施するための形態】
【０００７】
（実施例１）
図１、図２を参照する。本考案の電子ナンバープレート２は、移動手段のナンバープレート１に設けられる。また電子ナンバープレート２は、信号受発信ユニット２１と、信号受発信ユニット２１と接続されたマイクロプロセッサ２２と、マイクロプロセッサ２２と接続されたデータ保存ユニット２３と、マイクロプロセッサ２２と接続されて衛星による位置特定を行うグローバル衛星位置特定モジュール２４とからなる。以上の構造により、データ保存ユニット２３が移動手段の関連データを保存するとともに、信号受発信ユニット２１が外部のデータ読取装置５のデータを受信し、受信された外部データは、マイクロプロセッサ２２によって処理された後、データ保存ユニット２３に保存されるか、或いは信号受発信ユニット２１によって発信される。
【０００８】
本実施例において、データ保存ユニット３に保存されたデータは、移動手段の所有者の氏名であるが、前記データは本考案の実施例について説明するための例であり、本考案の請求範囲を限定するものではない。
【０００９】
（実施例２）
図３を参照する。実施例２において電子ナンバープレート２は、車１１のナンバープレート１に設けられる。電子ナンバープレート２のデータ保存ユニット２３には、移動手段（車１１）の所有者の氏名が保存される。電子ナンバープレート２は、グローバル衛星位置特定モジュール２４によって位置が特定されるとともに、信号受発信ユニット２１から発信された車１１の所在地が人工衛星６を経由して外部のデータ読取装置５に送信される。以上により、素早く車１１の所在地が判明する。
【００１０】
（実施例３）
図４を参照する。実施例３において電子ナンバープレート２は、バイク１２のナンバープレート１に設けられる。電子ナンバープレート２のデータ保存ユニット２３には、バイク１２の所有者の氏名が保存される。電子ナンバープレート２は、グローバル衛星位置特定モジュール２４によって位置が特定されるとともに、信号受発信ユニット２１から発信されたバイク１２の所在地が人工衛星６を経由して外部のデータ読取装置５に送信される。以上により、素早くバイク１２の所在地が判明する。
【符号の説明】
【００１１】
１            ナンバープレート
１１   車
１２   バイク
２            電子ナンバープレート
２１   信号受発信ユニット
２２   マイクロプロセッサ
２３   データ保存ユニット
２４   グローバル衛星位置特定モジュール
５            データ読取装置
６            人工衛星
【図１】
0003191986.tif 000003
【図２】
0003191986.tif 000004
【図３】
0003191986.tif 000005
【図４】
0003191986.tif 000006
(57)【要約】      （修正有）【課題】指部分だけを保護する使い切り指手袋を提供する。【解決手段】ゴムや伸縮性ビニール等で５本指部分までが入る手袋を施工する。この手袋により指部分だけの保護が可能となる。【選択図】図１
0003191981.tif 000002
【実用新案登録請求の範囲】
【請求項１】
ゴムや伸縮性ビニール等で製造する５本の指部分までである事を特徴とする手袋。
【考案の詳細な説明】
【技術分野】
【０００１】草むしり、掃除、細かい手作業等で指先部分が汚れたり荒れる仕事の保護を図ったものである。
【背景技術】
【０００２】現時点に於いて、作業等で使用する手袋は手の全体を保護するものであり指部分だけを保護するものは無い。
【先行技術文献】
【特許文献】
【特許文献】ゴムや伸縮性ビニール等で製造した５本指部分までを保護するよう施した指手袋。
【特許文献１】
【特許文献２】
【非特許文献】
【非特許文献１】
【考案の概要】
【考案が解決しようとする課題】既存の作業用等で使用する手袋は手全体を保護するもので、指部分だけを保護する必要性に対する事柄。
【課題を解決するための手段】本考案は上記目的を達成するためにゴムや伸縮性ビニール等で５本指部分までが入るよう施工する。
【考案の効果】５本指部分までの手袋により容易に着脱可能であり、指先を保護でき、汚れ荒れを防げると共に、手のべたつきや蒸れ等の不快感も解消する。
【図面の簡単な説明】
【図１】使い切り指手袋を示した平面図である。
【考案を実施するための形態】
容易に着脱可能であり、指先仕事の汚れや荒れを防ぐ手袋を追及するが為。
【実施例】５本指までの手袋にすることにより容易に着脱可能になり、指先保護も可能になる。
【産業上の利用可能性】量産化でき、安価と多目的利用の可能。
【図１】
0003191981.tif 000003
(57)【要約】      （修正有）【課題】置き薬を収納・保管するものであって、置き薬を必要な時にすぐに使用することが可能で、且つ、内部に収納された置き薬の視認性の高い壁掛けを提供する。【解決手段】置き薬を収納、保管するための壁掛け１であって、上方に開口部２ａを有する収納部２を有し、収納部２は、内部に収納した置き薬を外部から確認できるよう透明、又は半透明な素材からなる。【選択図】図１
0003191912.tif 000002
【実用新案登録請求の範囲】
【請求項１】
置き薬を収納、保管するための壁掛けであって、上方に開口部を有する収納部を有し、前記収納部は、内部に収納した置き薬を外部から確認できるよう透明、又は半透明な素材からなることを特徴とする、壁掛け。
【考案の詳細な説明】
【技術分野】
【０００１】
本考案は、置き薬を収納・保管するための収納部を有する壁掛けに関する。
【背景技術】
【０００２】
従来、置き薬は、各家庭に薬が収納された薬箱を先に預け、薬を使用した分だけ代金を支払ってもらって補充する独特なシステムを有する日本独自のビジネスモデルとして知られている。そして、平均寿命が長くなり、生活習慣病などが問題になってきた現代において、自分自身の健康に責任を持ち、軽度な身体の不調は自分で手当てすること、すなわち、セルフメディケーションが重要視されてきており、この行為に置き薬が有効であろうことは想像に難くない。そして、従来、置き薬は下記特許文献に記載されているような形で保管されている。
【０００３】
特許文献１では、置き薬を薬箱内に収納して保管する構成が記載されている。そして、薬箱の側壁部に説明確認カードが添付されている。
【先行技術文献】
【特許文献】
【０００４】
【特許文献１】実用新案登録第３１８３１４９号
【考案の概要】
【考案が解決しようとする課題】
【０００５】
特許文献１に記載されているように、箱の中に置き薬を保管する方法では、箱自体が面積を取るため、通常は薬箱ごと押し入れなどに収納しないと邪魔になることが多く、必要な時に置き薬を使用することが困難であった。また、箱の中に置き薬が収納されているので、視認性が低く、どのような置き薬が収納されているのか、一目で判断が着かない問題もあった
【０００６】
本考案は、上記実情を考慮したもので、置き薬を収納・保管するものであって、置き薬を必要な時にすぐに使用することが可能で、且つ、内部に収納された置き薬の視認性の高い壁掛けを提供することを目的とする。
【課題を解決するための手段】
【０００７】
請求項１の考案は、置き薬を収納、保管するための壁掛けであって、上方に開口部を有する収納部を有し、前記収納部は、内部に収納した置き薬を外部から確認できるよう透明、又は半透明な素材からなることを特徴とする。
【考案の効果】
【０００８】
請求項１に記載の考案によれば、普段から目につく壁等に掛けて使用できると共に、収納した置き薬を簡単に確認できるため、置き薬を必要な時にすぐに使用することが可能であると共に、内部に収納された置き薬の視認性も高いものとなる。このことにより、置き薬を使用する者にとって使用しやすいものとなると共に、販売者にとっても、薬の使用分を把握し補充しやすい使い勝手のよいものとなる。
【図面の簡単な説明】
【０００９】
【図１】本考案による壁掛けの第１実施形態を示す正面図である。
【図２】本考案による壁掛けの第二実施形態を示す正面図である。
【考案を実施するための形態】
【００１０】
以下、本考案による壁掛け１の実施の形態を図１、図２を参照して説明する。本考案による壁掛け１の第一実施形態は、図１に示すように、上方に開口部２ａを有する収納部２を備え、上方端部には、壁に掛けるための貫通孔３を有している。
【００１１】
そして、収納部２は、透明、又は半透明の素材（ポリ塩化ビニル等）からなり、内部に収納した置き薬を確認することが可能である。また、素材がポリ塩化ビニルであれば、収納部２の表面に水性のペンで書き込み等を施しても、消去が容易である。そして収納部２の開口部２ａは、蓋を備える構成であっても問題はないし、開口を自由に開閉できるようにファスナーを設ける構成でもよい。
【００１２】
そして、貫通孔３は、そのままピンなどを通し、壁掛け１を壁等に固定するような構成でも問題ないが、ナイロン製等の紐などを通して、紐を介して壁掛け１を壁等に固定するような構成が望ましい。また、貫通孔３には、真鍮製のハトメ等の環状の金具を備えることにより、破損しにくい構成であることが望ましい。
【００１３】
本考案による壁掛け１の第二実施形態は、図２に示すように、数種類の置き薬を小分けにして収納できるように、複数の収納部２を有すると共に、上方端部にはハンガー状の吊下げ部材４を備えている。そして、収納する置き薬の包装部に異なる色彩のマーキングを種類ごとに付してもよいし、収納部２の色彩をそれぞれ異なるものにしても問題ないが、図２に示すように、置き薬を収納する収納部２の直近には、識別手段５を有していることが望ましい。なお、収容部２の数量や構成は、使用者の都合に応じて適宜変更可能である。
【００１４】
識別手段５は、図２に示すように、置き薬の種類を示すものであってもよいし、場合によっては、服用時の注意点や、七曜、使用者の情報等を示すものであってもよい。
【００１５】
本実施形態例では、置き薬を収納、保管するための壁掛けについての具体的な構成を説明したが、この構成は置き薬以外にも、体温計や絆創膏、包帯等を収納するものにもそのまま適用できる。また、壁面以外にも、枕元のベッド等に掛けるものであっても問題ない。
【符号の説明】
【００１６】
１    壁掛け
２    収納部
２ａ  開口部
３    貫通孔
４    吊下げ部材
５    識別手段
【図１】
0003191912.tif 000003
【図２】
0003191912.tif 000004